【手続補正書】
【提出日】平成21年6月1日(2009.6.1)
【手続補正１】
【補正対象書類名】特許請求の範囲
【補正対象項目名】全文
【補正方法】変更
【補正の内容】
【特許請求の範囲】
【請求項１】
新たな取り消しリストが、更新サービスにおいて発行されているかどうかを定期的にチェックするステップと、
前記定期的チェック中、前記新たな取り消しリストに関する推奨される更新が存在するという指示を前記更新サービスから受信すると、前記新たな取り消しリストをダウンロードして、前記新たな取り消しリストを保留中の取り消しリストとして保存し、前記保留中の取り消しリストは、保護されたコンテンツが、コンピューティングデバイス上の現在の保護レベルによって提供される保護よりも高いレベルの保護を、該コンピューティングデバイス上で要求する際に、オンデマンド更新のために利用可能であるステップと、
前記指示を受信すると、前記新たな取り消しリスト内で取り消されたコンポーネントとしてリストアップされる各コンポーネントの更新されたバージョンをダウンロードするステップと、
を含むコンピュータによって実施される方法であって、
前記取り消されたコンポーネントが、前記更新バージョンのインストールの起点となる前記更新サービス上のロケーションを特定するのに使用されるＧＵＩＤによって特定されることを特徴とする、
コンピュータによって実施される方法。
【請求項２】
定期的にチェックするステップは、前記コンピューティングデバイスが再起動されると、実行される請求項１に記載のコンピュータによって実施される方法。
【請求項３】
前記新たな取り消しリストは、現在の保留中の取り消しリストと入れ替わる請求項１に記載のコンピュータによって実施される方法。
【請求項４】
前記保留中の取り消しリストは、それまでにダウンロードされた複数の保留中の取り消しリストの１つとして保存される請求項１に記載のコンピュータによって実施される方法。
【請求項５】
前記更新サービスは、ＭＩＣＲＯＳＯＦＴ（登録商標）ＷＩＮＤＯＷＳ（登録商標）更新サービスを含む請求項１に記載のコンピュータによって実施される方法。
【請求項６】
前記取り消しリストは、Ｃａｒｄｅａスタイルの証明書取り消しリスト（ＣＲＬ）を含み、それぞれの取り消されたコンポーネントは、前記更新されたバージョンをダウンロードすべき前記更新サービス上のロケーションを特定するのに使用される証明書ハッシュで特定される請求項１に記載のコンピュータによって実施される方法。
【請求項７】
前記取り消しリストは、Ａｐｐ  証明書取り消しリスト（ＣＲＬ）を含み、それぞれの取り消されたコンポーネントは、前記更新されたバージョンをダウンロードすべき前記更新サービス上のロケーションを特定するのに使用される公開鍵で特定される請求項１に記載のコンピュータによって実施される方法。
【請求項８】
前記取り消されたコンポーネントは、前記取り消されたコンポーネントのハッシュによって特定される請求項１に記載のコンピュータによって実施される方法。
【請求項９】
前記取り消されたコンポーネントは、前記取り消されたコンポーネントの証明書によって特定される請求項１に記載のコンピュータによって実施される方法。
【請求項１０】
前記更新サービスは、メディアアプリケーションに関連するカテゴリを提供し、新たな取り消しリストは、前記カテゴリ内で発行される請求項１に記載のコンピュータによって実施される方法。
【請求項１１】
複数のパッケージが、前記カテゴリ内で発行され、各パッケージは、前記新たな取り消しリストの１つに関連し、前記関連する取り消しリストの中で取り消されたものとしてリストアップされているコンポーネントの更新されたバージョンを含む請求項１０に記載のコンピュータによって実施される方法。
【請求項１２】
新たな取り消しリストが、更新サービスにおいて発行されているかどうかを、ネットワークを介して定期的にチェックするように構成された自動更新サービスと、
前記更新サービスから前記新たな取り消しリストをダウンロードした後、前記新たな取り消しリストをコンピューティングデバイスにインストールするように構成されたインストーラコンポーネントと、
前記新たな取り消しリストによって指定された保護レベルまでコンピューティングデバイスを、保護されたコンテンツの処理が、前記保護レベルを要求する場合に、更新するために利用可能な、保留中の取り消しリストとして、前記インストールされた新たな取り消しリストを格納するように構成された格納コンポーネントとを含むコンピュータ実行可能コンポーネントを有するコンピュータ可読記憶メディア。
【請求項１３】
プロセッサと、
複数のコンピュータ実行可能コンポーネントがロードされたメモリとを含み、前記複数のコンポーネントは、
新たな取り消しリストが、更新サービスにおいて発行されているかどうかを、ネットワークを介して定期的にチェックするように構成された自動更新サービスと、
前記更新サービスから前記新たな取り消しリストをダウンロードした後、前記新たな取り消しリストをコンピューティングデバイスにインストールするように構成されたインストーラコンポーネントと、
前記新たな取り消しリストによって指定された保護レベルまでコンピューティングデバイスを、保護されたコンテンツの処理が、前記保護レベルを要求する場合に、更新するために利用可能な、保留中の取り消しリストとして、前記インストールされた新たな取り消しリストを格納するように構成された格納コンポーネントとを含むコンピューティングデバイス。
【請求項１４】
新たな取り消しリストが、更新サービスにおいて発行されているかどうかを定期的にチェックするステップと、
前記定期的チェック中、前記新たな取り消しリストに関する推奨される更新が存在するという指示を前記更新サービスから受信すると、前記新たな取り消しリストをダウンロードして、前記新たな取り消しリストを保留中の取り消しリストとして保存し、前記保留中の取り消しリストは、保護されたコンテンツが、コンピューティングデバイス上の現在の保護レベルによって提供される保護よりも高いレベルの保護を、該コンピューティングデバイス上で要求する際に、オンデマンド更新のために利用可能であるステップと、
前記指示を受信すると、前記新たな取り消しリスト内で取り消されたコンポーネントとしてリストアップされる各コンポーネントの更新されたバージョンをダウンロードするステップと、
を含むコンピュータによって実施される方法であって、
前記取り消しリストは、Ｃａｒｄｅａスタイルの証明書取り消しリスト（ＣＲＬ）を含み、それぞれの取り消されたコンポーネントは、前記更新されたバージョンをダウンロードすべき前記更新サービス上のロケーションを特定するのに使用される証明書ハッシュで特定されることを特徴とする、
コンピュータによって実施される方法。
【請求項１５】
新たな取り消しリストが、更新サービスにおいて発行されているかどうかを定期的にチェックするステップと、
前記定期的チェック中、前記新たな取り消しリストに関する推奨される更新が存在するという指示を前記更新サービスから受信すると、前記新たな取り消しリストをダウンロードして、前記新たな取り消しリストを保留中の取り消しリストとして保存し、前記保留中の取り消しリストは、保護されたコンテンツが、コンピューティングデバイス上の現在の保護レベルによって提供される保護よりも高いレベルの保護を、該コンピューティングデバイス上で要求する際に、オンデマンド更新のために利用可能であるステップと、
前記指示を受信すると、前記新たな取り消しリスト内で取り消されたコンポーネントとしてリストアップされる各コンポーネントの更新されたバージョンをダウンロードするステップと、
を含むコンピュータによって実施される方法であって、
前記取り消しリストは、Ａｐｐ証明書取り消しリスト（ＣＲＬ）を含み、それぞれの取り消されたコンポーネントは、前記更新されたバージョンをダウンロードすべき前記更新サービス上のロケーションを特定するのに使用される公開鍵で特定されることを特徴とする、、
コンピュータによって実施される方法。